(57)【要約】【課題】  ゴミ袋を切取り破線から切り離す際に、応力集中によってゴミ袋に裂けが生じてしまうといったことがなく、ゴミ袋を切取り破線に沿って確実に切り離すことができるようにしたロール状連続ゴミ袋の提供。【解決手段】  切取り破線２からの切り離しによってゴミ袋１の開口部両側に取っ手部４，４が形成されると共にこの両取っ手部の間に谷部５，５を介してフラップ部６が形成されるようにしたロール状連続ゴミ袋Ａであって、切取り破線は、取っ手側縁破線４ａと、取っ手上縁破線４ｂと、谷部破線５ａと、フラップ部破線６ａとを備え、取っ手上縁破線と、谷部破線と、フラップ部破線が波状線Ｗを描くように形成され、取っ手側縁破線が波状線Ｗ又は直線Ｓを描くように形成されている。【選択図】  図１
0003123789.tif 000002
【実用新案登録請求の範囲】
【請求項１】
底部が袋底溶着部によって閉鎖された多数枚のゴミ袋が切取り破線を介して一連に連結された連続ゴミ袋がロール状に巻き取られ、
前記切取り破線からの切り離しによってゴミ袋の開口部両側に取っ手部が形成されると共にこの両取っ手部の間に谷部を介してフラップ部が形成され、
かつ前記谷部に対応した形状の延長片がゴミ袋の底縁に形成されるようにしたロール状連続ゴミ袋であって、
前記切取り破線は、取っ手部の内側縁部にゴミ袋の縦方向に延長して形成された取っ手側縁破線と、取っ手部の上縁部にゴミ袋の横方向に延長して形成された取っ手上縁破線と、谷部の底縁にゴミ袋の横方向に延長して形成された谷部破線と、フラップ部の周縁に沿って形成されたフラップ部破線とを備え、
前記取っ手上縁破線と、谷部破線と、フラップ部破線が波状線を描くように形成され、前記取っ手側縁破線が波状線又は直線を描くように形成されていることを特徴とするロール状連続ゴミ袋。
【請求項２】
前記延長片の先端部分が切除されている請求項１記載のロール状連続ゴミ袋。
【考案の詳細な説明】
【技術分野】
【０００１】
本考案は、多数枚のゴミ袋が切取り破線を介して一連に連結された連続ゴミ袋をロール状に巻き取ったロール状連続ゴミ袋に関する。
【背景技術】
【０００２】
従来、切取り破線を介して多数枚のゴミ袋が一連に連結された連続ゴミ袋をロール状に巻き取ったロール状連続ゴミ袋が知られている（特許文献１参照）。
【０００３】
このロール状連続ゴミ袋は、図６に示すように、底部が袋底溶着部３によって閉鎖された多数枚のゴミ袋１を切取り破線２により一連に連結させた連続ゴミ袋１０をロール状に巻き取ったものである。
前記連続ゴミ袋１０は、筒状プラスチックフイルムの全幅に亘って袋底溶着部３を一定間隔で形成すると共に、この袋底溶着部３に近接して切取り破線２を形成したものとなっている。
【０００４】
この場合、切取り破線２からの切り離しによってゴミ袋１の開口部両側に取っ手部４，４を形成させると共に、この両取っ手部４，４の間に谷部５，５を介してフラップ部６を形成させるように、この切取り破線２が形成されるもので、前記谷部５，５を形成させることに伴いゴミ袋１の底部に延長片７，７が形成されている。
即ち、切取り破線２から切り離されたゴミ袋１は、開口部両側に取っ手部４，４が形成されると共にこの両取っ手部４，４の間に谷部５，５を介してフラップ部６が形成され、かつ前記谷部５，５に対応した形状の延長片７，７が底部に形成されたものになる。
【０００５】
なお、前記切取り破線２は、取っ手部４，４の内側縁部にゴミ袋１の縦方向に延長して形成された取っ手側縁破線４ａ，４ａと、取っ手部４，４の上縁部にゴミ袋１の横方向に延長して形成された取っ手上縁破線４ｂ，４ｂと、谷部５，５の底縁にゴミ袋１の横方向に延長して形成された谷部破線５ａ，５ａと、フラップ部６の周縁に沿って形成されたフラップ部破線６ａとを備えている。
【０００６】
そして、ゴミ袋１を使用するには、ロール状連続ゴミ袋から連続ゴミ袋１０を繰り出し、ゴミ袋１を切取り破線２から切り離すことになる。
この切り離しに際し、通常は、図７に示すように、切取り破線２を境として、両ゴミ袋１，１を縦方向（矢印Ｎ方向）に引っ張ることになるが、この場合には、逆向きの力によって切取り破線２を切り開くように力が作用するため、破線によって破れ易くなっている切取り破線２に沿ってゴミ袋１を確実に切り離すことができる。
【０００７】
ところが使用者によっては、図８に示すように、延長片７を摘んで、この延長片７を縦方向（矢印Ｎ方向）に引っ張りながら切取り破線２を切り開こうとすることがある。
この場合、引っ張り方向と略一致している取っ手側縁破線４ａは、その取っ手側縁破線４ａに沿って切り開かれていく。
しかしながら、この取っ手側縁破線４ａ以外の他の破線、特に、フラップ部破線６ａの頂部においては、延長片７の引っ張りによって応力が集中し、強引に引っ張ると破線６ａに沿った切り開きができずにゴミ袋１に裂けＰが生じてしまうことが稀にある。
【０００８】
又、ロール状連続ゴミ袋は、コンパクトに包装するため、通常図６に示すように、両側部分を内側に折り畳んだ、いわゆるＣ字折りで巻き取られている。
このＣ字折りで巻き取られたロール状連続ゴミ袋は、切取り破線２が複雑な配置になるため、切取り破線２に加わる力の方向も複雑になる。
また、使用者によっては、フラップ部破線６ａの頂部を切り開き、そこを摘んで縦方向に引っ張りながら切り開こうとすることがあり、この場合にも切取り破線２に加わる力の方向が複雑になり、ゴミ袋１に裂けが生じてしまうことが稀にある。
【０００９】
そして、このような裂けが袋底溶着部３を越えてしまうと、ゴミ袋１の底に穴が明いた状態になることから、ゴミ袋１としての使用ができなくなってしまうという問題が生じる。
【００１０】
又、ゴミ袋１がポリエチレン樹脂製である場合、特に、高密度ポリエチレン樹脂製である場合には、フィルム特性として縦方向に裂けやすい性質もあり、この場合には更に裂け易くなるという問題が生じる。
【特許文献１】特開２００１−２０８２号公報
【考案の開示】
【考案が解決しようとする課題】
【００１１】
本考案は、ゴミ袋を切取り破線から切り離す際に、応力集中によってゴミ袋に裂けが生じてしまうといったことがなく、ゴミ袋を切取り破線に沿って確実に切り離すことができるようにしたロール状連続ゴミ袋を提供することを課題としている。
【課題を解決するための手段】
【００１２】
上記の課題を解決するため、本考案（請求項１）のロール状連続ゴミ袋は、
底部が袋底溶着部によって閉鎖された多数枚のゴミ袋が切取り破線を介して一連に連結された連続ゴミ袋がロール状に巻き取られ、
前記切取り破線からの切り離しによってゴミ袋の開口部両側に取っ手部が形成されると共にこの両取っ手部の間に谷部を介してフラップ部が形成され、
かつ前記谷部に対応した形状の延長片がゴミ袋の底縁に形成されるようにしたロール状連続ゴミ袋であって、
前記切取り破線は、取っ手部の内側縁部にゴミ袋の縦方向に延長して形成された取っ手側縁破線と、取っ手部の上縁部にゴミ袋の横方向に延長して形成された取っ手上縁破線と、谷部の底縁にゴミ袋の横方向に延長して形成された谷部破線と、フラップ部の周縁に沿って形成されたフラップ部破線とを備え、
前記取っ手上縁破線と、谷部破線と、フラップ部破線が波状線を描くように形成され、前記取っ手側縁破線が波状線又は直線を描くように形成されている構成とした。
【００１３】
又、本考案（請求項２）のロール状連続ゴミ袋は、
前記延長片の先端部分が切除されている構成とした。
【考案の効果】
【００１４】
本考案のロール状連続ゴミ袋（請求項１）は、少なくとも取っ手側縁破線以外の他の破線が波状線を描くように形成されている。
従って、仮に前記した図８のように、取っ手側縁破線以外の他の破線、例えば、フラップ部破線の頂部に応力が集中しようとした場合、このフラップ部破線が波状線を描くように形成されているため、多方向に分力が生じて力が分散する。
この力の分散により縦方向の力がフラップ部破線の一点に集中することがなくなるため、破線によって破れ易くなっている破線部位が先に切り開かれていき、ゴミ袋が破れるのを防止することができる。
【００１５】
又、ロール状連続ゴミ袋がいわゆるＣ字折りで巻き取られて、切取り破線が複雑な形状になっている場合でも、取っ手側縁破線以外の他の破線が波状線を描くように形成されているため、この波状線による破線上では多方向に分力が生じて力が分散して一点に集中することがなくなり、ゴミ袋が破れるのを防止することができる。
【００１６】
又、延長片の先端部分を切除すると、その切除した部分に空間が生じるため、この空間部分では谷部破線を省略でき、その分だけ切取り破線の全長が短縮され、切り取り作業を容易にすることができる。
又、切除したことで発生する切除片を原料にリサイクルさせることができる。
【考案を実施するための最良の形態】
【００１７】
図１は本考案のロール状連続ゴミ袋の第１実施例を示す平面図である。
このロール状連続ゴミ袋Ａは、取っ手上縁破線４ｂ，４ｂと、谷部破線５ａ，５ａと、フラップ部破線６ａが波状線Ｗを描くように形成され、かつ取っ手側縁破線４ａ，４ａも波状線Ｗを描くように形成されて、切取り破線２の全長に亘って波状線Ｗを描くように形成されている。
その他の構成は、前記図６で示したロール状連続ゴミ袋と同様の構成であるため、図面の符号を同一にして、その説明を省略する。
【００１８】
前記波状線Ｗは、図２に示すように、略直線状に形成された波頂部Ｗ１と、円弧状に形成された波谷部Ｗ２が連続したもので、各波谷部Ｗ２において連結部Ｗ３が１ヶ所又は２ヶ所に形成され、その他の部分が切り込み部Ｗ４に形成されている。
なお、図２はフラップ部破線６ａの波状線Ｗを示したので、全体としては円弧状に延在するように形成しているが、取っ手上縁破線４ｂ、谷部破線５ａ、取っ手側縁破線４ａについては全体としては直状に形成している。
【００１９】
なお、ロール状連続ゴミ袋Ａをコンパクトにするために、連続ゴミ袋１０の両側部分を内側に折り畳んだ、いわゆるＣ字折りで巻き取っているが、Ｃ字折りにすることなく、連続ゴミ袋１０を展開したままで巻き取ってもよい。
また、連続ゴミ袋１０の材質は、ポリエチレン樹脂（高分子ポリエチレン樹脂を含む）やポリプロピレン樹脂が用いられている。
又、ゴミ袋１の両側部分を内側に折り込でガゼットを形成することは任意である。
【００２０】
そして、ゴミ袋１を使用するには、ロール状連続ゴミ袋Ａから連続ゴミ袋１０を繰り出し、ゴミ袋１を切取り破線２から切り離すことになる。
この切り離しに際し、切取り破線２の全てが波状線Ｗを描くように形成されているため、何れの破線に力が集中して加わったとしても多方向に分力が生じて力が分散するため応力集中がなくなり、ゴミ袋の破れを防止することができる。
【００２１】
次に、図３は本考案のロール状連続ゴミ袋の第２実施例を示す平面図である。
このロール状連続ゴミ袋Ｂは、延長片７，７の先端部分が切除されたもので、延長片７，７の先端部分をプレスによって打抜き、その打抜きにより発生した切除片を打抜きと同時に吸引回収させるようになっている。
【００２２】
このように、延長片７，７の先端部分を切除すると、その切除部分に空間が生じるため、この空間部分７０，７０では谷部破線５ａ，５ａを省略でき、その分だけ切取り破線２の全長が短縮され、切り取り作業を容易にすることができる。
又、切除したことで発生する切除片を原料にリサイクルさせることができる。
【００２３】
次に、図４は本考案のロール状連続ゴミ袋の第３実施例を示す平面図、図５は本考案のロール状連続ゴミ袋の第４実施例を示す平面図である。
このロール状連続ゴミ袋Ｃ，Ｄは、取っ手側縁破線４ａ，４ａが直線Ｓを描くように形成されたものである。
ゴミ袋１を切り取る際には、ゴミ袋１の縦方向に引っ張り力が作用するもので、その引っ張り方向が取っ手側縁破線４ａの延在方向と略一致しているため、この取っ手側縁破線４ａ，４ａは、応力集中が生じることなく切り開かれていくもので、波状線Ｗに形成するよりも直線Ｓで形成した方が取っ手側縁破線４ａ，４ａをスムーズに切り開くことができるので好ましい。
【００２４】
なお、本考案において、波状線の波形、波ピッチ、波高等は適宜に決定することができる。
【図面の簡単な説明】
【００２５】
【図１】本考案のロール状連続ゴミ袋の第１実施例を示す平面図である。
【図２】波状線Ｗを示す平面図である。
【図３】本考案のロール状連続ゴミ袋の第２実施例を示す要部の平面図である。
【図４】本考案のロール状連続ゴミ袋の第３実施例を示す要部の平面図である。
【図５】本考案のロール状連続ゴミ袋の第４実施例を示す要部の平面図である。
【図６】従来のロール状連続ゴミ袋を示す平面図である。
【図７】ゴミ袋を切り離す際の作用説明図である。
【図８】ゴミ袋を切り離す際の作用説明図である。
【符号の説明】
【００２６】
１  ゴミ袋
１０  連続ゴミ袋
２  切取り破線
３  袋底溶着部
４  取っ手部
４ａ  取っ手側縁破線
４ｂ  取っ手上縁破線
５  谷部
５ａ  谷部破線
６  フラップ部
６ａ  フラップ部破線
７  延長片
７０  空間部分
Ａ  ロール状連続ゴミ袋
Ｂ  ロール状連続ゴミ袋
Ｃ  ロール状連続ゴミ袋
Ｄ  ロール状連続ゴミ袋
Ｓ  直線
Ｗ  波状線
Ｗ１  波頂部
Ｗ２  波谷部
Ｗ３  連結部
Ｗ４  切り込み部
【図１】
0003123789.tif 000003
【図２】
0003123789.tif 000004
【図３】
0003123789.tif 000005
【図４】
0003123789.tif 000006
【図５】
0003123789.tif 000007
【図６】
0003123789.tif 000008
【図７】
0003123789.tif 000009
【図８】
0003123789.tif 000010